(57)【要約】【課題】  従来の撮像装置においては、レンズの前面を開閉する２枚のカバー羽根を動作させるための機構が比較的複雑であって、２枚のカバー羽根の開閉動作の信頼性が低く、また、構成部品を精度良く製作するのが困難である。【解決手段】  対物レンズ１１の前面を覆う閉止状態と、対物レンズ１１の前面を開放する開放状態とが可逆的に操作される第１及び第２のカバー羽根１６，１７を有する撮像装置に関する。２枚のカバー羽根１６，１７は、重ね合わされた状態で枢軸２４により回動自在に連結されると共に捩りばね１８によって互いに離反する方向に付勢され、枢軸２４の近傍において第１のカバー羽根１６が本体側部材に設けた回動軸により回動自在に支持され、且つ、第２のカバー羽根１７が本体側部材に設けた操作ピン２８により回動され、第１のカバー羽根１６を回動することにより第２のカバー羽根１７を連動させてレンズ用開口部６を開閉自在にした。【選択図】  図４
2005308898.tif 000002
【特許請求の範囲】
【請求項１】
レンズの前面を覆う閉止状態と、当該レンズの前面を開放する開放状態とが可逆的に操作される第１及び第２のカバー羽根を有する撮像装置において、
２枚の前記カバー羽根は、重ね合わされた状態で枢軸により回動自在に連結されると共に弾性体によって互いに離反する方向に付勢され、前記枢軸の近傍において前記第１のカバー羽根が本体側に固定される部材に設けた回動軸により回動自在に支持され、且つ、前記第２のカバー羽根が前記本体側に固定される部材に設けた操作ピンにより回動され、
前記第１のカバー羽根を回動することにより前記第２のカバー羽根を連動させて前記レンズの前面を開閉自在にしたことを特徴とする撮像装置。
【請求項２】
前記第１のカバー羽根には、前記回動軸を中心として同一の曲率半径で連続する長穴を設け、当該長穴に前記操作ピンを摺動可能に挿通すると共に、前記弾性体のバネ力により付勢して前記第２のカバー羽根を前記操作ピンに当接したことを特徴とする請求項１記載の撮像装置。
【請求項３】
前記長穴は、前記回動軸と前記枢軸との間に配置したことを特徴とする請求項２記載の撮像装置。
【請求項４】
前記第１のカバー羽根の前記枢軸の近傍には、当該第１のカバー羽根を回動操作させる操作レバーの一端を回動自在に連結したことを特徴とする請求項１記載の撮像装置。
【請求項５】
前記弾性体は、コイル部が前記枢軸に装着されると共に、一方の弾性片を前記第１のカバー羽根に係止し、且つ、他方の弾性片を前記第２のカバー羽根に係止した捩りばねであることを特徴とする請求項１記載の撮像装置。
【発明の詳細な説明】
【技術分野】
【０００１】
本発明は、外装ケースに略円形のレンズ用開口部が設けられた撮像装置に関し、特に、前記レンズ用開口部を２枚の羽根の相対的な回動動作によって開閉するようにした撮像装置に関するものである。
【背景技術】
【０００２】
従来の、この種の撮像装置としては、例えば、特許文献１に記載されているようなものがある。特許文献１には、カメラへの電源の通電と遮断を切り換える機構及びカメラに開閉自在に取り付けられて、レンズを保護するレンズカバー機構に関するものが記載されている。このカメラのレンズカバー機構は、レンズを有するカメラ本体(1) 内に、カメラ本体に通電するスイッチ(SW1) のＯＮ・ＯＦＦを切り換える操作板(3) を回動自在に設け、レンズを保護する複数のカバー板(7)(8)を開閉自在にカメラ本体に枢支(53)(54)し、カバー板は互いに重なって、レンズを露出したオープン位置とカバー板が互いにズレて拡がりレンズに被さるクローズ位置との間を同一方向に回動するレンズカバー機構において、カメラ本体には、各カバー板を夫々軸(53)(54)によって枢支すると共に、操作板に連繋して回動し、カバー板の基端部に被さる保持片(4) を枢支(55)し、該枢支部とカバー板の枢支部、及びカバー板の枢支部は互いにずれて設けられており、該保持片からは、カバー板の回動進み側及び戻り側の側面に夫々接する突起(40)(41)が突出しており、突起は保持片の回動に伴って、カバー板を押して回動させ、両突起はカバー板の側面に接近又は当接し、カバー板をバネ付勢することなく、該カバー板の不用意な回動を規制しつつ、カバー板をオープン位置及びクローズ位置へ回動させる、ことを特徴としている。
【０００３】
このような構成を有するカメラのレンズカバー機構によれば、リング蓋(2) を回転させて、開口(20)から覗き窓(12)を露出させると、操作板(3) がスイッチ(SW1) をＯＮ西、カメラ本体(1) に通電する。即ち、撮影時に、覗き窓を露出させれば、自動的に電源がＯＮとなるので、使い勝手が良くなると共に、カバー板(7)(8)の側面には、保持片(4) から突出した突起(40)(41)が当接しているから、カメラ本体に衝撃が加わっても、カバー板の不用意な回動は突起により防止される。従って、従来のようにネジリバネを用いなくとも、カバー板の不用意な回動を防止できる、という効果が期待される。
【０００４】
また、従来の他の撮像装置の例としては、例えば、特許文献２に記載されているようなものもある。特許文献２には、ビデオカメラ等のレンズ前面を開閉するカメラ内蔵方式のレンズカバーに関するものが記載されている。このレンズカバーは、半円形状の２枚のレンズカバー体が支軸部によって回動自在に支承され、上記２枚のレンズカバー体は、略円形状に展開された状態でレンズ前面を閉止し、及び重ね合わされた状態でレンズ前面を開放するようにした、ことを特徴としている。
【０００５】
このような構成を有するレンズカバーによれば、レンズ前面が開放された状態では、半円形状の２枚のレンズカバー体が重ね合わされた状態となるため、レンズ開放時のレンズカバー収納スペースがレンズカバー半分のスペースで済むことになり、その分、カメラ本体の容積が小さくて済みカメラの小型化が可能となる、という効果が期待される。
【特許文献１】特開平１０−２９３３４０号公報
【特許文献２】特開平６−３８０８２号公報
【０００６】
しかしながら、上述したような従来の撮像装置においては、特許文献１に記載された前者の場合には、２枚のカバー羽根が重なって収納される構成を有しているが、夫々のカバー羽根を個別に回動させるために多数の突起と軸が設けられていた。そして、これら多数の突起及び軸で２枚のカバー羽根を回動したり、その回動を規制する構造となっていた。そのため、２枚のカバー羽根を回動操作するための機構が複雑になり、２枚のカバー羽根の開閉動作の信頼性が低いという課題があった。
【０００７】
また、上述した特許文献２に記載されている後者の場合には、初めは第１のレンズカバー体と第２のレンズカバー体が一体的に回動し、第１のレンズカバー体がレンズの前面から完全に外れた位置に来て止まると、第２のレンズカバー体のみが更に回動してレンズの前面から完全に外れた状態となり、２枚のレンズカバー体の開閉動作が２段階になっていた。しかも、これらを構成する部品が小さいものであったため、これら構成部品を精度良く製作するのが困難であるという課題があった。
【発明の開示】
【発明が解決しようとする課題】
【０００８】
解決しようとする問題点は、従来の撮像装置においては、レンズの前面を開閉する２枚のカバー羽根を動作させるための機構が比較的複雑であって、２枚のカバー羽根の開閉動作の信頼性が低く、また、構成部品を精度良く製作するのが困難であるという点である。
【課題を解決するための手段】
【０００９】
本発明の請求項１記載の撮像装置は、レンズの前面を覆う閉止状態と、レンズの前面を開放する開放状態とが可逆的に操作される第１及び第２のカバー羽根を有する撮像装置において、２枚のカバー羽根は、重ね合わされた状態で枢軸により回動自在に連結されると共に弾性体によって互いに離反する方向に付勢され、枢軸の近傍において第１のカバー羽根が本体側に固定される部材に設けた回動軸により回動自在に支持され、且つ、第２のカバー羽根が本体側に固定される部材に設けた操作ピンにより回動され、第１のカバー羽根を回動することにより第２のカバー羽根を連動させてレンズの前面を開閉自在にしたことを最も主要な特徴とする。
【００１０】
本発明の請求項２記載の撮像装置は、第１のカバー羽根には、回動軸を中心として同一の曲率半径で連続する長穴を設け、その長穴に操作ピンを摺動可能に挿通すると共に、弾性体のバネ力により付勢して第２のカバー羽根を操作ピンに当接したことを特徴とする。
【００１１】
本発明の請求項３記載の撮像装置は、長穴は、回動軸と枢軸との間に配置したことを特徴としている。
【００１２】
本発明の請求項４記載の撮像装置は、第１のカバー羽根の枢軸の近傍には、その第１のカバー羽根を回動操作させる操作レバーの一端を回動自在に連結したことを特徴としている。
【００１３】
本発明の請求項５記載の撮像装置は、弾性体は、コイル部が枢軸に装着されると共に、一方の弾性片を第１のカバー羽根に係止し、且つ、他方の弾性片を第２のカバー羽根に係止した捩りばねであることを特徴としている。
【発明の効果】
【００１４】
本発明の請求項１記載の撮像装置によれば、回動軸を回動中心として第１のカバー羽根を開放方向に回動すると、第１のカバー羽根に対する操作ピンの相対的移動に基づき第２のカバー羽根が操作ピンによって押圧される。これにより、第１のカバー羽根がレンズ前面を開放する方向に回動すると共に、第１のカバー羽根に連動して第２のカバー羽根が、枢軸を回動中心としてレンズ前面を開放する方向に回動する。その結果、第１のカバー羽根を回動操作することにより、捩りばねのバネ力に抗して操作ピンの押圧力により押圧されて第２のカバー羽根が回動操作され、レンズ前面が開放される。
一方、第１のカバー羽根を閉止方向に回動すると、第１のカバー羽根に対する操作ピンの相対的移動に基づき捩りばねのバネ力により付勢される第２のカバー羽根が同じく閉止方向に回動される。その結果、第１のカバー羽根と第２のカバー羽根が元の位置に戻り、両カバー羽根によってレンズ前面が閉止される。
【００１５】
本発明の請求項２記載の撮像装置によれば、操作ピンが挿通される長穴が、回動軸を中心とする同一の曲率半径によって連続するよう第１のカバー羽根に設けられているため、第１のカバー羽根の回動動作を確保できると共に、枢軸によって第１のカバー羽根に回動自在に支持された第２のカバー羽根が、弾性体のばね力により付勢されて操作ピンに当接されているため、第１のカバー羽根の回動に連動させて第２のカバー羽根を回動させて、レンズの前面を開閉することができる。
【００１６】
本発明の請求項３記載の撮像装置によれば、長穴を回動軸と枢軸との間に配置することにより、第１及び第２のカバー羽根を可及的に小型化させ、最も単純な構成とすることができる。
【００１７】
本発明の請求項４記載の撮像装置によれば、第１のカバー羽根の枢軸の近傍に操作レバーを連結することにより、第１のカバー羽根をスムースに回動操作することができる。
【００１８】
本発明の請求項５記載の撮像装置によれば、弾性体を捩りばねとして、そのコイル部を枢軸に装着し、一方の弾性片を第１のカバー羽根に係止すると共に他方の弾性片を第２のカバー羽根に係止することにより、極めて簡単な構成でありながら、第１のカバー羽根と第２のカバー羽根との間に互いに離反する方向に向かう付勢力を確実に発生させることができる。
【発明を実施するための最良の形態】
【００１９】
レンズ前面を覆う２枚のカバー羽根のうち、一方のカバー羽根を動かすことにより他方のカバー羽根を連動させてレンズ前面を開閉することができ、構成部品を可及的に小型化し、小さなスペースに収納することができて、撮像装置の小型化、軽量化を図ることができる装置を、簡単な構成によって実現した。
【実施例１】
【００２０】
以下、本発明の実施の形態を、添付図面を参照して説明する。図１〜図８は本発明の撮像装置の実施の例を説明するもので、図１は撮像装置のレンズ前面の閉止状態の斜視図、図２は撮像装置のレンズ前面の開放状態の斜視図、図３はレンズ装置と２枚のカバー羽根の分解斜視図、図４は２枚のカバー羽根の閉止状態の斜視図、図５は同じく正面図、図６は２枚のカバー羽根の開閉動作の途中状態の正面図、図７は２枚のカバー羽根の開放状態の斜視図、図８は同じく正面図である。
【００２１】
図１及び図２に図示した撮像装置は、本発明の撮像装置の一実施例として示す電子スチルカメラ１である。この電子スチルカメラ１は、横長の筐体からなる外装ケース２を備えている。外装ケース２は、長手方向の一側が、前面をやや前側へ膨出させることにより持ち易くしてグリップ部３として構成されている。この外装ケース２の長手方向の他側は、上下の角部を丸くすることによって半円形に形成し、その半円形部４の内部にレンズ装置５が収納されている。外装ケース２の半円形部４側の前面には、レンズ装置５の先端を突出させるためのレンズ用開口部６が設けられている。
【００２２】
外装ケース２の前面のレンズ用開口部６側の上部には、照明撮影用のフラッシュ装置の発光部７が配設されている。また、外装ケース２の上面のグリップ部３側には、スチル撮影用のシャッタボタン８が配置されている。そして、外装ケース２の背面には、電子ビュファインダの表示部をなす液晶パネル９が配置されている。外装ケース２のレンズ用開口部６の内側に配置されたレンズ装置５は、対物レンズ１１側が所定範囲内において進退移動可能とされた、いわゆる沈胴式レンズである。
【００２３】
この沈胴式レンズのレンズ装置５は、図２及び図３に示すように、外装ケース２に直接取り付けられ又は外装ケースに固定される本体側に固定される部材（以下「本体側部材」という。）に取り付けられる固定鏡筒１２と、この固定鏡筒１２に対して所定範囲内で進退移動可能に保持される可動鏡筒１３と、これら固定鏡筒１２及び可動鏡筒１３内に保持された複数のレンズの組み合わせからなるレンズ群によって構成され、そのレンズ群の先端に位置する対物レンズ１１が被写体に対向される。
【００２４】
このレンズ装置５のレンズ前面に配置されたレンズ前面開閉機構１５は、２枚のカバー羽根１６，１７と、弾性体の一具体例を示す捩りばね１８を備えて構成されている。第１のカバー羽根１６は、爪のような先端の尖った形状を有する薄い板体からなる。第１のカバー羽根１６の基部の一方の角部には、回動軸２０が回動自在に挿通される軸穴２１が設けられている。第１のカバー羽根１６の基部の他方の角部には、操作レバー２２が回動自在に連結される連結ピン２３が、一面側である上面に突出するように設けられている。更に、第１のカバー羽根１６の連結ピン２３の近傍で爪先に寄った部分には、連結ピン２３と同方向に突出する枢軸２４が設けられている。
【００２５】
更に、第１のカバー羽根１６の枢軸２４の近傍で爪先に寄った部分には、捩りばね１８の一方の弾性片１８ｂを係止するばね受け片２５が設けられている。また、枢軸２４と軸穴２１とを結ぶ線上の中途部分には、円弧状に連続する長穴２６が設けられている。長穴２６の中心は、軸穴２１を曲率半径の中心として同一の曲率半径で形成される円弧溝からなる。この長穴２６には、本体側部材に設けられた操作ピン２８が摺動可能に挿入される。
【００２６】
第１のカバー羽根１６の枢軸２４等が突出する側の面に第２のカバー羽根１７が重ね合わされている。第２のカバー羽根１７は、葉っぱのように先端が尖っていて、中途部が膨らんだ形状を有する薄い板体からなる。この第２のカバー羽根１７と第１のカバー羽根１６を一定の姿勢で重ね合わせることにより、両カバー羽根１６，１７によって円形のレンズ前面２９に対向されるレンズ用開口部６が完全に閉じられる形状とされている。
【００２７】
第２のカバー羽根１７の基部には、枢軸２４が回動自在に嵌合される軸穴３０が設けられている。第２のカバー羽根１７の軸穴３０の近傍には、捩りばね１８の他方の弾性片１８ｃを係止するばね受け突起３１が設けられている。更に、第２のカバー羽根１７の長手方向（基部から先端に向かって延びる方向）の中途部には、外側に突出する姿勢制御部３２が設けられている。第２のカバー羽根１７の姿勢制御部３２は、捩りばね１８のばね力により付勢されて長穴２６に挿通された操作ピン２８に当接されている。
【００２８】
このような構成を有するレンズ前面開閉機構１５は、例えば、次のようにして組み立てることができる。まず、第１のカバー羽根１６の枢軸２４に第２のカバー羽根１７の軸穴３０を嵌め合わせると共に、その枢軸２４に捩りばね１８の中央のコイル部１８ａを装着する。この捩りばね１８の一方の弾性片１８ｂを第１のカバー羽根１６のばね受け片２５に係止し、他方の弾性片１８ｃを第２のカバー羽根１７のばね受け突起３１に係止する。
【００２９】
その後、第１のカバー羽根１６の軸穴２１に、図示しない本体側部材に設けた回動軸２０を嵌合すると共に、第１のカバー羽根１６の長穴２６に、同じく本体側部材に設けた操作ピン２８を挿通する。これにより、捩りばね１８のばね力によって第２のカバー羽根１７の姿勢制御部３２が操作ピン２８に当接される。更に、第１のカバー羽根１６の連結ピン２３に、操作レバー２２の一端に設けた挿通孔を回動自在に嵌合する。操作レバー２２の他端には、図示しない駆動装置が連結されている。この駆動装置を駆動することによって操作レバー２２が進退動作され、第１のカバー羽根１６が回動軸２０を中心に回動される。
【００３０】
このような駆動装置としては、例えば、駆動モータと、この駆動モータの回転運動を往復運動として取り出すことができるクランク機構等によって構成することができる。この場合、駆動モータの回転方向を制御することにより、その回転方向に応じてクランク機構を進退動作させることができる。例えば、駆動モータを一方へ回転することによって操作レバー２２を引っ張り、他方へ回転することによって操作レバー２２を押し出すことができる。この駆動モータを動作させるための操作ボタンは、図示しないが外装ケース２の外面（例えば、外装ケース２の背面や上面、側面等の任意の位置に設置することができる。）に設けるようにする。
【００３１】
このような構成を有するレンズ前面開閉機構１５を備えた電子スチルカメラ１によれば、例えば、次のようにしてレンズ前面２９のレンズ用開口部６を開閉することができる。図４及び図５は、２枚のカバー羽根１６，１７によってレンズ用開口部６が閉止されている状態を示すものである。この状態では、第１のカバー羽根１６は操作レバー２２によってその閉じ位置にあり、第２のカバー羽根１７は捩りばね１８のばね力によってその閉じ位置にある。そのため、レンズ用開口部６は、２枚のカバー羽根１６，１７によって完全に閉じられている。このとき、第２のカバー羽根１７は、捩りばね１８のばね力によって姿勢制御部３２が操作ピン２８に当接されている。
【００３２】
この状態から、レンズ前面開閉機構１５の図示しない操作ボタンを開放側へ操作すると、駆動モータの作動を介して操作レバー２２が引っ張られ、図５において左側に移動する。これにより、第１のカバー羽根１６が回動軸２０を回動中心として、図５において時計方向に回動される。このとき、第１のカバー羽根１６には操作ピン２８が挿通されているが、その操作ピン２８は長穴２６内に移動可能に挿通されていて、しかも、長穴２６は回動軸２０を中心とする同一曲率半径による円弧状に形成されている。そのため、操作ピン２８が第１のカバー羽根１６の回動動作に障害となることがなく、スムースに回動させることができる。
【００３３】
一方、第２のカバー羽根１７は、第１のカバー羽根１６に搭載されて枢軸２４で回動自在に支持されているため、その支持部では第１のカバー羽根１６と一体的に回動するが、姿勢制御部３２が操作ピン２８に当接されている。このとき、操作ピン２８が本体側部材に固定されていて、その位置が移動することがないため、操作ピン２８からの反力により捩りばね１８のばね力に抗して第２のカバー羽根１７が枢軸２４を回動中心として、図５において時計方向に回動される。これにより、２枚のカバー羽根１６，１７の姿勢は、図６に示すような状態に変化する。
【００３４】
図６に示す状態から、操作レバー２２が更に左方向へ移動して所定位置に達すると、図７及び図８に示す状態となり、レンズ用開口部６が完全に開放される。この場合、第１のカバー羽根１６の回動量に応じて操作ピン２８は、長穴２６の一端から他端まで相対的に移動し、常に第２のカバー羽根１７の姿勢制御部３２を押圧する。これにより、第２のカバー羽根１７は、図５に示す閉止状態の略真上に立ち上げられた姿勢から、時計方向に回動されて前倒しされ、図６に示す斜め上方に傾いた姿勢を経て、図８に示す斜め下方に傾いた姿勢に変化する。この第２のカバー羽根１７の姿勢変化は、第１のカバー羽根１６の姿勢変化に連動して行われる。
【００３５】
このような２枚のカバー羽根１６，１７の姿勢変化により、図５に示すようにレンズ用開口部６が２枚のカバー羽根１６，１７で完全に閉止された状態から、図６に示す状態を経て、図８に示すようにレンズ用開口部６が２枚のカバー羽根１６，１７から完全に開放された状態に変化する。
【００３６】
この場合、図５に示す状態では、レンズ用開口部６が２枚のカバー羽根１６，１７で完全に閉止されるため、レンズ前面２９が２枚のカバー羽根１６，１７によって確実に保護され、そのレンズ前面２９が露出されて傷付けられるのを防止することができる。これに対して、図８に示す状態では、レンズ用開口部６が２枚のカバー羽根１６，１７から完全に開放されるため、レンズ装置５の可動レンズ部を前方に突出させることができる。その結果、図２に示すように、レンズ装置５の可動鏡筒１３がレンズ用開口部６を貫通して外装ケース２の前方に突出し、カメラ撮影が可能となる。
【００３７】
レンズ用開口部６を閉じる動作は、前述した開放動作と逆の動作によって実行される。即ち、操作スイッチを閉じ方向に操作すると、まず、レンズ装置５が動作して可動鏡筒１３が後退し、レンズ用開口部６内に収納される。
【００３８】
次に、レンズ前面開閉機構１５の駆動モータが動作して操作レバー２２が、図７及び図８において右側（破線で示す矢印の方向）に移動する。これにより、第１のカバー羽根１６が回動軸２０を回動中心として反時計方向に回動され、図６に示す状態を経て、図４及び図５に示す状態に変化する。このとき、第２のカバー羽根１７は、第１のカバー羽根１６と一体的に移動しつつ操作ピン２８が相対的に反対側（図８等において左側）に移動するため、捩りばね１８のばね力により操作ピン２８に追従するように、枢軸２４を回動中心として更に独自に反時計方向に回動される。その結果、図４及び図５に示すように、レンズ用開口部６が２枚のカバー羽根１６，１７によって完全に閉止され、レンズ前面２９が２枚のカバー羽根１６，１７で完全に覆われる。
【産業上の利用可能性】
【００３９】
以上説明したが、本願発明は前記実施例に限定されるものではなく、例えば、前記実施例においては撮像装置として電子スチルカメラに適用した例について説明したが、他の形式の撮像装置、例えば、通常のスチルカメラは勿論のこと、デジタル及びアナログのビデオカメラに適用できることは勿論である。また、弾性体として捩りばねを適用した例について説明したが、コイルばね、板ばね、ゴム状弾性体等を用いることもできる。
【００４０】
また、前記実施例では、レンズ前面開閉機構の動力源として駆動モータとリンク機構を用いた例について説明したが、例えば、シリンダ装置を用いて操作レバーを進退動作させるようにしてもよく、また、シリンダ装置で操作レバーを直接進退動作させる構成としてもよい。更に、本体側部材としては、これに外装ケースを用いてレンズ前面開閉機構を外装ケースに支持する構成としてもよく、また、フレームのような別部材を設けてレンズ前面開閉機構を支持し、そのフレームを外装ケース等に固定する構成とすることもできる。このように、本願発明は、その要旨を変更しない範囲で各種の変更実施が可能である。
【図面の簡単な説明】
【００４１】
【図１】本発明の撮像装置の一実施例を示すもので、レンズ前面のレンズ用開口部を２枚のカバー羽根で閉止した状態の斜視図である。
【図２】本発明の撮像装置の一実施例を示すもので、レンズ前面のレンズ用開口部を開放してレンズ装置の可動部を前面に突出させた状態の斜視図である。
【図３】本発明の撮像装置に係るレンズ装置及びレンズ前面開閉機構を分解して示す斜視図である。
【図４】本発明の２枚のカバー羽根を有するレンズ前面開閉機構を示すもので、レンズ用開口部を完全に閉止した状態の斜視図である。
【図５】本発明の２枚のカバー羽根を有するレンズ前面開閉機構を示すもので、レンズ用開口部を完全に閉止した状態の説明図である。
【図６】本発明の２枚のカバー羽根によるレンズ用開口部の開閉途中の状態を示す説明図である。
【図７】本発明の２枚のカバー羽根を有するレンズ前面開閉機構を示すもので、レンズ用開口部を完全に開放した状態の斜視図である。
【図８】本発明の２枚のカバー羽根を有するレンズ前面開閉機構を示すもので、レンズ用開口部を完全に開放した状態の説明図である。
【符号の説明】
【００４２】
１‥電子スチルカメラ（撮像装置）、  ２‥外装ケース、  ５‥レンズ装置、  ６‥レンズ用開口部、  １１‥対物レンズ、  １５‥レンズ前面開閉機構、  １６，１７‥カバー羽根、  １８‥捩りばね（弾性体）、  ２０‥回動軸、  ２２‥操作レバー、  ２３‥連結ピン、  ２４‥枢軸、  ２６‥長穴、  ２８‥操作ピン、  ２９‥レンズ前面、  ３２‥姿勢制御部
【図１】
2005308898.tif 000003
【図２】
2005308898.tif 000004
【図３】
2005308898.tif 000005
【図４】
2005308898.tif 000006
【図５】
2005308898.tif 000007
【図６】
2005308898.tif 000008
【図７】
2005308898.tif 000009
【図８】
2005308898.tif 000010